(57)【要約】【課題】時計の通常動作を妨げずに、即ち正確な時間指示を提供しながら、使用者の要求に応じて信頼のおけるパワーリザーブ指示を提供すること。【解決手段】機械的動力源１を含む時計において、機械的動力源１が、時間関連情報表示手段５に結合され、他方で、発電機２と、発電機の周波数を基準周波数にならす調整回路６であって、発電機の周波数が基準周波数よりも大きい時、発電機を電気的に制動するように構成された切替手段７を含む回路と、パワーリザーブを測定する手段１２ｂによって制御されるパワーリザーブ表示手段１２ａとに結合される時計であって、発電機の制動期間中に放散された電気エネルギーを蓄積する手段１１と、蓄積された電気エネルギーによってパワーリザーブを表示するように第２の表示手段を始動する手段１３とを含む。【選択図】図３
2005181322.tif 000002
【特許請求の範囲】
【請求項１】
機械的動力源（１）を含む時計において、機械的動力源（１）が、一方で、時間関連情報の第１の表示手段（５）に結合され、他方で、発電機（２）と、発電機の周波数を基準周波数にならす調整回路（６；１４）であって、発電機の周波数が基準周波数よりも大きい時、発電機を電気的に制動するように構成された切替手段（７）を含む回路と、パワーリザーブを測定する手段（１２ｂ；１４）によって制御されるパワーリザーブ用の第２の表示手段（１２ａ；１５ａ、１５ｂ）とに結合される時計であって、発電機の制動期間中に放散された電気エネルギーを蓄積する手段（１１）と、前記蓄積手段（１１）によって蓄積された電気エネルギーによってパワーリザーブを表示するように、前記第２の表示手段を始動させる手段（１３）とをさらに含むことを特徴とする時計。
【請求項２】
前記電気デネルギー蓄積手段（１１）が、制動期間中発電機（２）に電気的に連結される電圧セットアップ回路（１１ａ）を備え、前記期間中に放散されたエネルギーを蓄積コンデンサ（１１ｂ）に蓄積するように調整回路（６）によって制御されることを特徴とする請求項１に記載の時計。
【請求項３】
始動手段（１３）が、時計の外側からアクセス可能な制御部材であることを特徴とする請求項１または２に記載の時計。
【請求項４】
パワーリザーブ測定手段（１２ｂ；１４）が、所定長さの連続した期間を設定する手段と、前記設定期間中ごとに発電機が切替手段によって制動される回数を計数する手段と、始動手段によって制御されて、計数の結果の関数としてパワーリザーブ情報を第２の表示手段（１５ａ；１５ｂ）に与える手段とを含むことを特徴とする請求項１から３に記載の時計。
【請求項５】
パワーリザーブ測定手段（１２ｂ；１４）が、発電機が切替手段によって制動される回数を計数する手段と、各制動同士の間の時間を測定する手段と、始動手段によって制御されて、時間測定の結果の関数としてパワーリザーブ情報を第２の表示手段（１５ａ；１５ｂ）に与える手段とを含むことを特徴とする請求項１から３に記載の時計。
【請求項６】
第２の表示手段が、高生成率の発光ダイオード（１５ｂ）によって形成され、光パルスによって視覚的なパワーリザーブ指示を供給する光学的手段であることを特徴とする請求項４または５に記載の時計。
【請求項７】
第２の表示手段が、液晶表示（１５ａ）によって形成されるデジタル手段であることを特徴とする請求項４または５に記載の時計。
【請求項８】
発電機（２）が、少なくとも１つのコイル（２ｂ）を含む時計であって、パワーリザーブ測定手段（１２ｂ）が、制動期間中、切替手段（７）によって発電機の前記少なくとも１つのコイルに電気的に結合される追加のコイルと、前記始動手段（１３）によって制御される電気制御モータ（１６）とを含み、電気結合中に伝送される電気量の関数として、パワーリザーブ情報を第２の表示手段（１５ｃ）に提供することを特徴とする請求項１から３のいずれかに記載の時計。
【請求項９】
第２の表示手段が、前記電気制御モータ（１６）によって駆動されるアナログ部材（１５ｃ）によって形成される電気機械的手段であることを特徴とする請求項８に記載の時計。
【請求項１０】
機械的動力源（１）を含む時計において、機械的動力源（１）が、一方で、時間情報の第１の表示手段（５）に結合され、他方で、発電機（２）と、発電機の周波数を基準周波数にならす調整回路（６；１４）であって、発電機の周波数が基準周波数よりも大きい時、発電機を電気的に制動するように構成された切替手段（７）を含む回路と、パワーリザーブ測定手段（１２ｂ；１４、１６）によって制御される第２のパワーリザーブ用の第２の表示手段（１２ａ；１５ｃ）とに結合される時計であって、発電機の制動期間中に放散された電気エネルギーを蓄積する手段（１１）をさらに含み、前記蓄積手段によって蓄積された電気エネルギーによってパワーリザーブを表示するように、前記第２の表示手段の位置を、前記パワーリザーブ測定手段が自動的に適合させることを特徴とする時計。
【請求項１１】
発電機（２）が少なくとも１つのコイル（２ｂ）を含む時計であって、パワーリザーブ測定手段（１４、１６）が、制動期間中に切替手段（７）によって発電機の前記少なくとも１つのコイルに電気的に結合される追加のコイルと、前記調整回路（１４）によって制御される電気制御モータ（１６）とを含み、電気結合中に伝送される電気量の関数として、パワーリザーブ情報を第２の表示手段（１５ｃ）に提供することを特徴とする請求項１０に記載の時計。
【請求項１２】
第２の表示手段が、前記電気制御モータ（１６）によって駆動されるアナログ部材（１５ｃ）によって形成される電気機械的手段であることを特徴とする請求項１１に記載の時計。
【請求項１３】
調整手段が、前記アナログ表示手段の位置を手で調整する調整手段をさらに含むことを特徴とする請求項１０から１２のいずれかに記載の時計。
【請求項１４】
蓄積手段によって蓄積されたエネルギーが、パワーリザーブを表示するのに充分になった時、それを指示する指示器手段が設けられることを特徴とする前記請求項のいずれかに記載の時計。
【発明の詳細な説明】
【技術分野】
【０００１】
本発明は一般に、パワーリザーブ指示器付の超小型発電機を備えた時計に関する。より詳しくは、本発明は、このパワーリザーブを指示する手段に関する。本発明はまた、パワーリザーブを指示する実施方法にも関する。
【背景技術】
【０００２】
従来技術、特に本出願人名義の欧州特許第０  ７６２  ２４３号に、図１に示す、手巻きゼンマイまたは自動巻きゼンマイ１ａを収容するバレル１によって形成される機械的動力源を含み、巻き上げ装置は示されていない時計が示されている。
【０００３】
バレル１は、歯車列３を介して、発電機２の磁化回転子２ａに機械的に結合されている。発電機２は、少なくとも１つのコイル２ｂを含み、これが、磁化回転子２ａが回転駆動されると、交流電圧Ｕｇを生成し、少なくとも１つのコイル２ｂが結合される磁場、矢印によって示す、を生成する。
【０００４】
コイル２ｂ（または複数コイル）の端子が整流器４に連結され、整流器４はその出力部に整流電圧Ｕａを供給して、調整回路６に電力を供給するが、それについては以下に論ずる。
【０００５】
時間指示用アナログ表示部材５、一般的には１組の針または他の任意の従来型の機械的時間表示手段が、ムーブメントの歯車列３を介して機械的にバレルに結合され、回転子２ａに回転連結されている。針５の回転速度は、調整回路６によって一定の平均値に保たれて、発電機の周波数を基準周波数にならし、それによって、針の速度が、正確な時間指示を得るのに必要な速度に対応させられる。
【０００６】
当業者は、本出願人名義のスイス特許出願第６８６  ３３２号の記述を参照することによって、調整器６のような、ならし装置を設計することができるので、調整器６を本明細書では詳しく述べない。しかし、理解し易くするために、この回路の本質的な要素やその動作を本明細書で再確認する。
【０００７】
調整器６は、クロック・タイプのクウォーツによって安定化される振動子６ａと、振動子６ａの周波数を、論理回路６ｃによって使用することのできる周波数に分周する分周器６ｂとを含む。論理回路６ｃは、制御信号によって、例えばトランジスタなどの切替部材７を制御して、発電機２を制動して、その周波数を調整して、時間指示表示部材５による正確な時間指示に対応する基準周波数にする。
【０００８】
本文書による時計は、パワーリザーブ指示器９も含む。この装置は、追加の分周器９ｂによって、連続した制動信号８を所定期間計数するカウンタ９ａを含む。所定期間に計数されたデータを記憶する記憶装置９ｃが、出力部でカウンタ９ｂに連結されている。その出力部にデコーダ９ｄが連結されて、記憶されたデータをパワーリザーブ表示手段の制御信号９ｅに変換する。制御信号９ｅは、測定されたまたは計数された値に対応する点まで照明したり表示する連続したダッシュ記号を含む。これはカラー・ストリップまたは液晶セルのいずれかによって行われる。
【０００９】
しかし、欧州特許第０  ７６２  ２４３号で推奨される解決方法が有する欠点は、パワーリザーブの指示を提供するために、発電機の電力を直接使用するということであり、それは、発電機から引き出す総電力、即ちこのタイプの指示器を提供するのに必要な電力と、パワーリザーブの指示をもたらすのに必要な電力とを増大させる作用を有する。このように、ほとんどの場合、必要な総電力は、発電機がもたらすことのできる最高容量よりも大きな瞬間電力を示し、それは、一方で時間指示の正確さに対して、他方でパワーリザーブ指示の実際の供給に対して有害となる場合がある。また最善で、もたらされる指示が正しい場合でも、時計の自律性が大幅に低下する。
【００１０】
従来技術から、特に本出願人名義で出願された欧州特許第０  ８７５  ８０７号から、発電機の自律性がより大きい時計も知られている。図２に示すそのような時計は、同じ参照番号の、図１参照による前述の知られている要素に加えて、発電機２の電気エネルギーの一部によって形成された電気エネルギーを蓄積し回復する蓄積装置１０を含む。整流器４に連結されたこの蓄積装置１０は、従来型のアキュムレータ１０ａを含む。
【００１１】
バレルゼンマイ１ａが完全に緩み、発電機２の回転子２ａが回転しない時、電圧Ｕｇは明らかにゼロである。さらに蓄積装置１０のアキュムレータ１０ａが放電されると、電圧Ｕａもゼロになり、またはいずれにせよ時計が動作するのに不充分となる。次いでバレルゼンマイ１ａが巻かれると、回転子２ａが回転し始め、電圧ＵｇとＵａが増大し始める。
【００１２】
アキュムレータ１０ａは、時計が停止される時、完全にまたは少なくともほぼ完全に放電される。回転子２ａが回転し始め、電圧Ｕａが充分な値に到達すると、アキュムレータ１０ａは、発電機２によって供給された電気エネルギーの一部を吸収することによって充電される。当然ながらこの電気エネルギーの余剰分は、バレルゼンマイ１ａによって供給され、ゼンマイの機械エネルギーの少なくとも一部に対する発電機２による変換から発生するものである。
【００１３】
バレルゼンマイ１ａによってもたらされたモータ・トルクが、時計の動作限界トルクよりも小さくなると、発電機２によって生成される電気エネルギーは、調整回路６の様々な回路に正確に電力供給するのに不充分となる。しかし、次いでアキュムレータ１０ａが少なくとも部分的に充電されていれば、それによって蓄積装置１０が、電圧Ｕａを、調整回路６の構成要素が適切に動作するような値に保つことができる。そのような動作に必要な電気エネルギーが、少なくとも部分的にアキュムレータ１０ａによって供給される。
【００１４】
このように、この時計のバレルゼンマイに含まれる機械エネルギーの一部を、電気エネルギーの形態で蓄積する能力がある蓄積装置１０を含むこの時計の自律性は増大し、バレルゼンマイがもはや充分に巻かれていなくなった後も、この電気エネルギーを使用して、時計を作動させることを可能にする手段による。
【００１５】
それにもかかわらず、欧州特許第０  ８７５  ８０７号で記述された時計は、時計の適切な動作に必要な電力と比較すると、瞬間的な余剰電力しか蓄積することができない。したがって、例えばパワーリザーブなどの追加の指示を提供するために、この瞬間的な電力余剰を使用することは、欧州特許第０  ７６２  ２４３号と併せて述べられたもの、即ち発電機から引き出された電力を直接使用して、時計の自律性を大幅に低下するという、所望の目的に反した影響を伴うことと同じ欠点を有することになる。
【特許文献１】欧州特許第０  ７６２  ２４３号
【特許文献２】スイス特許出願第６８６  ３３２号
【特許文献３】欧州特許第０  ８７５  ８０７号
【発明の開示】
【発明が解決しようとする課題】
【００１６】
従来技術の欠点を克服するために、本発明によるアイデアは、時計の通常動作を妨げずに、即ち正確な時間指示を提供しながら、使用者の要求に応じて信頼のおけるパワーリザーブ指示を提供することにある。
【００１７】
発電機の電磁制動装置は、全てのパワーリザーブでは、即ちバレルゼンマイが完全に巻かれていれば、比較的大きな平均電力を放出すことができる。したがって、アイデアは、制動装置を改修し、制動期間中に放散されたエネルギーを取り戻し、電気的に蓄積し、妥当な時間の間、例えばパワーリザーブなどのような追加の情報項目を表示することができるようにすることである。
【課題を解決するための手段】
【００１８】
この目的のために、発電機の制動期間中放散されたエネルギーを蓄積する電気エネルギー蓄積手段、その蓄積された電気エネルギーによって、要求に応じて時計のパワーリザーブ指示手段を始動させる始動手段が提供される。このようなやり方で、時計の自律性が低下せず、さらに、必要な蓄積手段は、簡単で、信頼がおけ、その大きさは、例えば１０マイクロファラッド程度の値を有するコンデンサなどのように縮小される。
【００１９】
したがって本発明は、請求項１に特徴が列挙された発電機を備えた時計に関する。
【００２０】
本発明の有利な実施態様が、従属請求項の主題を形成する。
【００２１】
本発明は、そのような時計のための、パワーリザーブを指示する方法にも関する。
【発明を実施するための最良の形態】
【００２２】
限定されない例としてここに掲げる、添付図面によって示す本発明の実施形態についての以下の詳しい記述を読めば、本発明の他の特徴および利点がより明確になろう。
【００２３】
本発明は、既に述べたように、要求に応じて、時計のパワーリザーブを示すのに充分なエネルギーを有するために、発電機の制動期間中に放散された電気エネルギーを蓄積するという全般的なアイデアから進展するものである。
【００２４】
事実、発電機の制動期間中に放散されたエネルギーは、パワーリザーブ指示器に連続的に電力供給するのには不充分な約１マイクロワットの平均瞬間電力（即ち１ボルトで１ミクロアンペアの平均電流）しかないことが、本発明の範囲で説明される。このアイデアは、妥当な時間経過で、例えば数分間で、パワーリザーブを少しの間表示するのに充分なエネルギーを蓄積することが可能である。４０から８０ミクロジュールのエネルギー量で充分であることが判明している。このエネルギーは、短い時間遅れで放出することができなければならず、即ち、使用するパワーリザーブ指示器のタイプに応じて、平均の制動放散電力よりも相当に大きな（何千倍も大きな）瞬間電力が使用できなければならない。
【００２５】
次に図３を参照するが、これは、本発明の好ましい実施形態による時計の簡略図を示す。図１、２の従来技術の範囲で提示したものと同一の要素を幾つか見ることができるが、そうした要素を、ここで再度詳述はせず、それらの参照番号をそのまま用いる。
【００２６】
このように、バレルゼンマイ１ａを収容するバレル１によって形成された機械エネルギー源が取り付けられた時計をここでも示している。バレルは、一方で発電機２に機械的に結合され、その出力部で生成される交流電圧Ｕｇが、自動性の整流器４によって整流化され、また他方で、腕時計ムーブメントの歯車列３を介して、時間指示表示手段５、つまり従来通りに針に結合される。針の回転速度は、発電機２の周波数を基準周波数にならすために、モニタ回路６または調整回路によって一定の平均値に保たれ、それによって針の速度が、正確な時間指示を得るのに必要な速度に対応するようになる。
【００２７】
この時計は、電気エネルギー蓄積手段１１であって、発電機２の制動期間中、即ち切替手段７を介して発電機に加えられた短絡回路の間に放散された電気エネルギーを蓄積できるように構成される手段をさらに含む。発電機の周波数が基準周波数よりも高い時、即ち回転子２ａの回転速度が、正しい時間指示に対応する針の速度よりも高い時、切替手段７が調整回路６によって始動させられる。
【００２８】
したがって、切替手段７は２つの位置を占めることができるが、その第１位置７ａでは、発電機２が蓄積手段１１に連結され、発電機に対する最適なインピーダンスとし、発電機から瞬間的に最大限の電力を引き出し、それを制動する効果を有し、その第２位置７ｂでは、発電機２が調整回路６に連結されて、正確な時間指示に対応する基準周波数に対して、発電機の周波数をモニタする。
【００２９】
蓄積手段１１は、電圧セットアップ１１ａと蓄積要素１１ｂによって形成されることが好ましい。電圧セットアップ１１ａは、例えば、縦列に配置された複数の段から形成されるディクソン・タイプのチャージポンプである。このポンプの各段はそれぞれ、自動性装置、例えばダイオードまたはダイオードが連結されたトランジスタを含み、電流を単一方向に蓄積コンデンサに導く。当然ながら、他のチャージポンプも使用することができることに留意されたい。蓄積要素１１ｂは、制動の度に充電が少し増加する簡単な蓄積コンデンサでよい。このようなチャージポンプ１１ａの収率を考慮すると、蓄積要素１１ｂ、好ましくは３または４ボルトで１０ミクロファッド程度の容量を有する蓄積コンデンサによって、数分間の制動で、４０から８０ミクロジュール程度のエネルギーが蓄積されることが可能になる。
【００３０】
この点に関して、一度蓄積要素１１ｂが充電されると、蓄積手段１１は、最適なインピーダンス適用を、したがって発電機の制動を継続的に保証することに留意されたい。
【００３１】
代替実施形態によれば、この時計は、ここでは示さない指示器を含み、それが文字板上に配置されて、パワーリザーブ指示装置１２に電力供給するのに充分に蓄積要素１１ｂが充電された時、それを指示する。このパワーリザーブ指示装置１２は、パワーリザーブ表示手段１２ａと、その表示手段用の制御システム１２ｂとを含む。制御システム１２ｂは、ここでは調整回路６とは別に示しているが、調整回路６に統合することも可能であることに留意されたい。
【００３２】
パワーリザーブ表示制御システムは、例えば「要求ボタン」と呼ばれる押ボタンのように、外部からアクセス可能な時計の始動手段１３によって始動される（信号Ｐ）。この制御システムの役割は、調整回路６によって伝送されたパワーリザーブの測定（信号Ｃ）に基づいて、パワーリザーブの正確な指示（信号Ｒ）を提供することにある。パワーリザーブを表示するのに必要なエネルギーは、蓄積手段（信号Ａ）によって供給される。
【００３３】
パワーリザーブを測定するために、様々な方法を実施することができる。第１の方法は、あらか決め定めた間の連続した期間にわたる連続した制動を計数し、これらの連続した期間中に起こる制動の回数から、パワーリザーブ表示信号を精巧に作り上げる手段を、制御システム１２ｂに設けることである。
【００３４】
第２の方法は、発電機が制動された回数を計数する手段と、各制動同士の間の時間の長さを測定し、時間長さの測定の結果の関数として、パワーリザーブ表示信号を精巧に作り上げる手段とを、制御手段１２ｂに設けることである。
【００３５】
第３の方法は、発電機２と電気機械的始動手段の電気的結合によって、制動期間中に放散された平均電流の測定を伝送して、パワーリザーブの指示を表示手段に供給する手段を、制御手段１２ｂに設けることである。
【００３６】
選択した方法に応じて、いくつかのパワーリザーブ表示手段を使用することができる。図４ａ〜４ｃに、パワーリザーブ指示装置の様々な例を示す。これらの図で、制御システム１２ｂは調整回路６に統合されている。このように、パワーリザーブを表示し、パワーリザーブを指示し、そのパワーリザーブの指示を要求するために必要な電気エネルギーをそれぞれ供給する信号Ａ、Ｃ、Ｐを、調整回路１４が受け取る。
【００３７】
図４ａは、デジタル式パワーリザーブ表示手段を使用する第１例を示す。その表示手段は、時計の文字板上に配置されたＬＣＤ（液晶表示）タイプの表示器１５ａによって形成される。パワーリザーブ指示は、完全に巻かれたゼンマイに対応する最大パワーリザーブ、またはパワーリザーブの残り時間に対するパーセンテージとして表示されることが好ましい。これらの表示手段は、以上に説明した最初の２つの方法の一方に使用することができる。
【００３８】
ＬＣＤ表示器は、使用者が要求押ボタンを始動させた後にパワーリザーブ指示を読取る時間を使用者に与えるのに充分な所定時間、活動したままにされることが好ましい。
【００３９】
図４ｂは、光学的電気蓄積表示手段を使用する第２例を示す。この表示手段は、時計の文字板に作られた開口部からの高可視度を備えた発光ダイオード１５ｂによって形成される。この場合、調整回路１４は、電流パルスＩｒを配送することが好ましく、そのパルスのそれぞれが、総パワーリザーブに対するパーセンテージ、例えば２０％などを表す。５パルスは、１００％のパワーリザーブ、つまり最大パワーリザーブを表す。こうした表示手段は、以上に説明した最初の２つの方法の一方で使用することができる。
【００４０】
図４ｃは、電気機械的パワーリザーブ表示手段を使用する第３例を示す。この表示手段は、アナログ表示部材、例えば針１５ｃなどによって形成され、時計の文字板の窓に配置された、パワーリザーブを表す向かい合っている目盛りを移動する。このアナログ表示部材１５ｃは、ステップ・モータ１６、例えば２方向のラベット・タイプのものによって駆動され、モータは、以上に説明した第３の方法に従って、制動期間中、発動機との電気結合によって駆動させられる。
【００４１】
この第３例の第１変化形態は、双方向のラベット・モータ（１６）によってパワーリザーブ指示を提供することにあるが、このモータは、必要であると判明した時（信号Ｃ）、アナログ表示部材（１５ｃ）の位置を、蓄積手段によって蓄積されたエネルギー（信号Ａ）を使用して、パルス（信号Ｒ）によって自動的に適応させ、即ち、パワーリザーブが減少しているのか増加しているのかに応じて、一方方向または他方向に１段動かす。この第１変化形態によると、使用者による介入を必要とせずに、パワーリザーブが、例えばモータの１段などに対応する所定量分変化する度に、パワーリザーブの指示を得ることができることに留意することは重要である。有利に、パワーリザーブ指示器の位置は、押ボタンによって手で（信号Ｐ）調整することができ、それによってモータの位置と指示器の位置の間の変動を訂正することができる。事実、モータが、アナログ表示部材の位置を適させるまさにその間にショックが起こる場合、そのような変動が現れることがある。
【００４２】
この第３例の第２変化形態は、要求押ボタンが始動されると、アナログ表示部材１５ｃにゼロ・リセットをもたらすことにある。このように、調整回路１４によって受け取られた信号Ｐは、最初に表示部材に、２番目にパワーリザーブ指示に、ゼロにリセットされるように命令する。すると表示部材は、使用者による次の要求まで、パワーリザーブ指示位置で固定されたままとなる。
【００４３】
この第３例の第３変化形態は、使用者が要求を行う毎に、事前のゼロ・リセットを行わずに、単に表示部材の位置を調整することにある。
【００４４】
本発明は、そのような時計のための、パワーリザーブを指示する方法にも関する。その方法は、時計が適切に動作できるようにゼンマイを充分に巻く予備ステップを含む。図４ｃで提示した第３例の第１変化形態を除いて、この方法は、以下のステップを含む：
【００４５】
１．連続した発電機の制動中に放散された電力で蓄積手段に充電することによって電気エネルギーを蓄積するステップ。
【００４６】
２．パワーリザーブ指示を要求する目的で設けられた始動手段を始動させることによって、それを要求するステップ。
【００４７】
３．上述の方法のいずれかによって、パワーリザーブ指示を測定するステップ。
【００４８】
４．測定された指示を、対応するパワーリザーブ表示手段で表示するステップ。
【００４９】
（ステップ１と２の間の）中間ステップ１ｂを設けることもできる。このステップ１ｂは、蓄積されたエネルギーのレベルがパワーリザーブ指示をもたらすのに充分になるとそれを指示することにある。
【００５０】
図４ｃで提示された第３例の第１変化形態を実施するための、パワーリザーブを指示する方法、つまり始動手段によって行われる要求に関するステップ２は、以下と置き換えられる：
【００５１】
２．パワーリザーブ指示を自動的に要求するステップ。
【００５２】
当業者に明白な様々な修正および／または改良を、添付の請求項で定義した本発明の範囲から逸脱せずに、本記述で述べた発明の様々な実施形態に行うことができる。特に、本発明は、以上に説明したパワーリザーブ測定方法だけに限定されるものではなく、パワーリザーブ表示手段の様々な上述例に限定されない。
【００５３】
他の蓄積手段を使用して、発電機の制動期間中に放散された電気エネルギーを蓄積することができることにも留意されたい。蓄積手段に関しては、代替物として、時計のガラス上の衝撃探知器、またはステム冠さえも使用することが可能である。
【００５４】
欧州特許第０  ８７５  ８０７号に開示されたもののような、追加の蓄積装置を提供することによって、本発明による時計の自律性を増加させることが可能であることをさらに留意されたく、発電機が制動されていない時、適切な動作に必要なエネルギーに対して余剰となる電気エネルギーによって、この追加の装置は充電される。
【図面の簡単な説明】
【００５５】
【図１】既述であるが、従来技術による、パワーリザーブ指示器を備えた発電機を有する時計を示す図である。
【図２】既述であるが、他の従来技術による、自律性が伸ばされた発電機を有する時計を示す図である。
【図３】本発明の好ましい実施形態による、パワーリザーブ指示器を有する時計を示す図である。
【図４】電力指示器手段の代替的実施形態を示す図である。
【図５】パワーリザーブ指示の実施方法の一例を示す図である。
【符号の説明】
【００５６】
１  バレル、機械的動力源、１ａ  バレルゼンマイ、２  発電機、２ａ  回転子、２ｂ  コイル、３  ムーブメントの歯車列、４  整流器、５  時間関連情報表示手段、６、１４  調整回路、モニタ回路、６ａ  振動子、６ｂ  分周器、６ｃ  論理回路、７  切替手段、８  制動信号、９  パワーリザーブ指示器、９ａ  カウンタ、９ｂ  分周器、９ｃ  記憶装置、９ｄ  デコーダ、９ｅ  制御信号、１０  蓄積装置、１０ａ  アキュムレータ、１１  蓄積手段、１１ａ  電圧セットアップ、１１ｂ  蓄積要素、１２  パワーリザーブ指示装置、１２ａ、１５ｃ  パワーリザーブ表示手段、針、１２ｂ、１４  パワーリザーブ測定手段、１３  始動手段、１５ａ  ＬＣＤタイプの表示器、１５ｂ  発光ダイオード、１６  制御モータ
【図１】
2005181322.tif 000003
【図２】
2005181322.tif 000004
【図３】
2005181322.tif 000005
【図４】
2005181322.tif 000006
【図５】
2005181322.tif 000007